(57)【要約】【課題】買い物客が一か所に留まって照射対象に見入る場合であっても、その照射対象を好適に煌びやかに見せることを可能にする。【解決手段】本発明の一態様に係る照明装置１０は、複数の第１光源である第１ＬＥＤ２２と、複数の第２光源である第２ＬＥＤ２４と、前記複数の第１光源及び前記複数の第２光源が配置された回転照射部１８を有する照明部１４であって、前記複数の第１光源の光と前記複数の第２光源の光とが前記回転照射部の中心軸線１８Ａ周りに移動するように作動する、照明部とを備える。【選択図】図１
2020119646.tif 000002
【特許請求の範囲】
【請求項１】
複数の第１光源と、
複数の第２光源であって、前記第１光源と前記第２光源とは互いに対して光色の異なる光を発することができるように構成されている、複数の第２光源と、
前記複数の第１光源及び前記複数の第２光源が配置された回転照射部を有する照明部であって、前記複数の第１光源の光と前記複数の第２光源の光とが前記回転照射部の中心軸線周りに移動するように作動する、照明部と
を備えた照明装置。
【請求項２】
前記照明部は、前記回転照射部自体を回転させるように構成された回転機構部を更に備える、
請求項１に記載の照明装置。
【請求項３】
前記回転機構部は、
前記回転照射部を回転させるためのモータと、
前記回転照射部に配置された前記複数の第１光源及び前記複数の第２光源を非回転電源部に接続可能にする回転コネクタと
を備える、請求項２に記載の照明装置。
【請求項４】
複数の第３光源及び複数の第４光源が所定の配列で配置された固定照射部を更に備える、
請求項１から３のいずれか一項に記載の照明装置。
【請求項５】
前記照明装置は、照射対象が内部に配置されるケースの天井部に設けられ、
前記固定照射部は、前記ケースにおいて、前記回転照射部よりも、前側に配置される、
請求項４に記載の照明装置。
【請求項６】
前記第３光源は、前記第１光源と同じ色の光を発し、
前記第４光源は、前記第２光源と同じ色の光を発する、
請求項４又は５に記載の照明装置。
【発明の詳細な説明】
【技術分野】
【０００１】
本発明は、照射対象を照らすための照明装置に関する。
【背景技術】
【０００２】
店舗等において照射対象の見栄えを良くする光を照射する照明装置が知られている。例えば、特許文献１は、店舗用の照明装置を開示する。この照明装置は、出力する光の分光分布が異なる第１光源及び第２光源を備える。それら第１及び第２光源は配光制御されることで照射対象に対してそれぞれ異なる角度の光軸に沿って光を照射する。特許文献１の記載によれば、この照明装置は、色ムラの発生を抑制し、かつ、照射対象にツヤ又はキラメキを生じさせることができる。
【先行技術文献】
【特許文献】
【０００３】
【特許文献１】特開２０１７−３３６２９号公報
【発明の概要】
【発明が解決しようとする課題】
【０００４】
ところで、特許文献１では、上記照明装置では、買い物客が移動しながら照射対象を見ることで、照射対象がより煌めいて見える、とされている。このように、特許文献１に記載の照明装置は、買い物客が移動しながら照射対象を見ることを前提に構成されている。一方で、照射対象が例えば装飾品、宝石及び時計などのとき、買い物客は一か所に留まって照射対象に見入る傾向が強い。
【０００５】
そこで本発明は、上記課題に鑑みてなされたものであり、その目的は、買い物客が一か所に留まって照射対象に見入る場合であっても、その照射対象を好適に煌びやかに見せることを可能にすることにある。
【課題を解決するための手段】
【０００６】
上記目的を達成するために、本発明の一態様は、
複数の第１光源と、
複数の第２光源であって、前記第１光源と前記第２光源とは互いに対して光色の異なる光を発することができるように構成されている、複数の第２光源と、
前記複数の第１光源及び前記複数の第２光源が配置された回転照射部を有する照明部であって、前記複数の第１光源の光と前記複数の第２光源の光とが前記回転照射部の中心軸線周りに移動するように作動する、照明部と
を備えた照明装置
を提供する。
【０００７】
好ましくは、前記照明部は、前記回転照射部自体を回転させるように構成された回転機構部を更に備える。更に好ましくは、前記回転機構部は、前記回転照射部を回転させるためのモータと、前記回転照射部に配置された前記複数の第１光源及び前記複数の第２光源を非回転電源部に接続可能にする回転コネクタとを備える。
【０００８】
更に、複数の第３光源及び複数の第４光源が所定の配列で配置された固定照射部が備えられるとよい。
【０００９】
好ましくは、前記照明装置は、照射対象が内部に配置されるケースの天井部に設けられ、前記固定照射部は、前記ケースにおいて、前記回転照射部よりも、前側に配置される。
【００１０】
前記第３光源は、前記第１光源と同じ色の光を発し、前記第４光源は、前記第２光源と同じ色の光を発するとよい。
【発明の効果】
【００１１】
本発明の一態様に係る上記照明装置によれば、上記構成を備えるので、例えば照射対象が装飾品、宝石及び時計などであり、買い物客が一か所に留まって照射対象に見入る場合であっても、その照射対象を好適に煌びやかに見せることが可能になる。
【図面の簡単な説明】
【００１２】
【図１】本発明の一実施形態に係る照明装置の外観図であり、（ａ）はその斜視図を、（ｂ）は照明装置をその照射部側からみたところを示す図である。
【図２】図１の照明装置の第１照明部の概略構成図である。
【図３】図１の照明装置の設置例を説明するための図である。
【発明を実施するための形態】
【００１３】
以下、本発明に係る実施形態を添付図に基づいて説明する。同一の部品（又は構成）には同一の符号を付してあり、それらの名称及び機能も同じである。したがって、それらについての詳細な説明は繰返さない。
【００１４】
図１は、本発明の一実施形態に係る照明装置１０の外観図であり、（ａ）はその斜視図を、（ｂ）は照明装置１０をその照射部側からつまり図１（ａ）の下方側からみたところを示す図である。図１に示すように、照明装置１０は、それのケース本体部１０ａに、複数のＬＥＤ１２が配置された２つの照明部１４、１６を有する。以下では、２つの照明部１４、１６のうちの一方を第１照明部１４と称し、そのうちの他方を第２照明部１６と称する。まず、第１照明部１４について説明する。
【００１５】
第１照明部１４は、回転照射部１８と、回転機構部２０とを備える。図１（ｂ）に示すように、回転照射部１８は、円盤状基板として構成され、そこに複数の発光ダイオード（ＬＥＤ）１２が所定の配列で配置されている。なお、ＬＥＤ１２は、それぞれ半導体素子である。
【００１６】
回転照射部１８の中心軸線１８Ａを中心として、その周りに、複数のＬＥＤ１２が配置されている。複数のＬＥＤ１２は、それぞれ光源として設けられている。複数のＬＥＤ１２は、２種類のＬＥＤ２２、２４を含む。２種類のＬＥＤのうちの一方を第１ＬＥＤ２２と称し、そのうちの他方を第２ＬＥＤ２４と称する。
【００１７】
第１ＬＥＤ２２と第２ＬＥＤ２４とは、それぞれ、互いに対して光色の異なる光を発することができるように構成されているものである。本実施形態では、第１ＬＥＤ２２は、白系の光を発するものであり、色温度が約４５００Ｋのものである。また、本実施形態では、第２ＬＥＤ２４は、黄色系の光を発するものであり、色温度が約３０００Ｋのものである。なお、第１照明部１４の第１ＬＥＤ２２は第１光源に相当し、第１照明部１４の第２ＬＥＤ２４は第２光源に相当する。図１（ｂ）では、第１ＬＥＤ２２との区別を容易にするべく、第２ＬＥＤ２４を斜線部として表している。なお、斜線部として表された第２ＬＥＤ２４以外のＬＥＤは、全て、図１（ｂ）では第１ＬＥＤ２２である。
【００１８】
照明装置１０の第１照明部１４では、第１ＬＥＤ２２は、図１（ｂ）において回転照射部１８の中心軸線１８Ａ周りの略周方向に並ぶように配置されている。これに対して、第２ＬＥＤ２４は、図１（ｂ）において回転照射部１８の中心軸線１８Ａから略径方向に並ぶように配置されている。そして、回転照射部１８の中心軸線１８Ａ周りに、２つの第１ＬＥＤ２２及び２つの第２ＬＥＤ２４が交互に並ぶように、それらＬＥＤ２２、２４は回転照射部１８に配置されている。このように回転照射部１８に複数の第１ＬＥＤ２２と複数の第２ＬＥＤ２４とが概ね交互になるように所定の配列で配置されている。しかし、本発明は、図１（ｂ）に示す、これら複数の第１ＬＥＤ２２と複数の第２ＬＥＤ２４との配列に限定されず、その他の配列を許容する。
【００１９】
なお、本発明で用いられる光源は、ＬＥＤに限定されないが、好ましくはＬＥＤである。また、各ＬＥＤは、単色のＬＥＤであっても、可変色ＬＥＤであってもよい。本実施形態で用いられるＬＥＤ１２は、全て、単色のＬＥＤである。
【００２０】
第１照明部１４は、前述のように複数の第１ＬＥＤ２２及び複数の第２ＬＥＤ２４が配置された回転照射部１８を有し、複数の第１ＬＥＤ２２の光と複数の第２ＬＥＤ２４の光とが回転照射部１８の中心軸線１８Ａ周りに移動するように作動する。この作動機構として、上記回転機構部２０を、第１照明部１４は有する。
【００２１】
回転機構部２０について、図２に基づいて説明する。図２は、照明装置１０における第１照明部１４を部分的に断面で表したそれの概略構成図であり、ケース本体部１０ａを簡単に表している。回転機構部２０は、回転照射部１８自体をその中心軸線１８Ａ周りに回転させるように構成されている。つまり、回転照射部１８に配置された第１及び第２ＬＥＤ２２、２４は、回転照射部１８とともに回転する。回転機構部２０は、回転照射部１８を回転させるためのモータ２６と、回転照射部１８に配置された複数の第１ＬＥＤ２２及び複数の第２ＬＥＤ２４を電源部２８に接続可能にする回転コネクタ３０とを有する。電源部２８は、回転照射部１８と共に回転するものではなく、例えば電源プラグであり、非回転電源部に相当する。
【００２２】
モータ２６は、電動モータであり、電源部２８からの電力で回転駆動力を発生する。モータ２６がつながる回転軸部２６Ｓは、回転照射部１８をその中心軸線１８Ａ周りの所定の回転方向Ｒ（図１（ｂ）参照）に回転させるように回転照射部１８に接続されている。このモータ２６の回転を制御するべく、回転制御部２７が設けられている。回転制御部２７は、モータ２６の作動のＯＮ−ＯＦＦを切り替えるための回転スイッチ２７ａと、モータ２６の回転速度を可変調整するためのスピード調整部２７ｂとを備える。なお、スピード調整部２７ｂは設けられなくてもよい。モータ２６の作動時の回転照射部１８の回転速度は一定とされてもよい。回転照射部１８がその中心軸線１８Ａ周りに回転する回転速度は、例えば１０回転／分とすることができるが、照明装置１０の大きさなどに応じて設定されるとよい。
【００２３】
このように、第１照明部１４では、ＬＥＤ２２、２４が設けられた回転照射部１８は回転するが、電源部２８は回転照射部１８と共に回転しない。そこで、回転照射部１８に配置された複数の第１ＬＥＤ２２及び複数の第２ＬＥＤ２４を電源部２８等の静止体に接続可能にするように、回転コネクタ３０が用いられている。回転コネクタ３０は、所謂スリップリングである。回転コネクタ３０は、一般的な構成、つまり金属製リングとブラシを備える。回転コネクタ３０は、静止体である電源部２８から、回転体である回転照射部１８のＬＥＤ２２、２４に、電力及び電気信号を伝達することを可能にする。回転コネクタ３０として、種々のスリップリングを用いることが可能であるが、例えばＪＩＮＰＡＴ社のスリップリング、例えばＬＰＭ−０４Ａを採用することができる。回転コネクタ３０としてのスリップリングは既知のものであるので、ここでの詳細な説明は省略する。なお、図２では、回転コネクタ３０からＬＥＤ２２、２４へと延びる配線３０Ｗを模式的に表している。
【００２４】
回転コネクタ３０を介しての、電源部２８からＬＥＤ２２、２４への電力供給などの制御のために、第１照明部１４は、照明のＯＮ−ＯＦＦを切り替えるための照明電源スイッチ３２ａと、光の強さを可変調整するための明るさ調整部３２ｂとを備える照明制御部３２を備える。なお、明るさ調整部３２ｂは設けられなくてもよい。また、照明装置１０の第１照明部１４では、照明制御部３２として、第１ＬＥＤ２２の制御部と、第２ＬＥＤ２４の制御部とを一緒にしているが、それらを別々にしてもよい。
【００２５】
既に述べたように、照明装置１０は、第１照明部１４に加えて、第２照明部１６を有する。図１（ｂ）に示すように、第２照明部１６は、第１照明部１４に並べて、照明装置１０の同じ側に光を発するように配置されている。なお、図１（ｂ）から明らかなように、照明装置１０の幅方向ＷＤにおいて、第２照明部１６の幅は、第１照明部１４の幅よりも長い。
【００２６】
第２照明部１６は、第１ＬＥＤ２２と第２ＬＥＤ２４とが所定の配列で配置された固定照射部３４と、前述の照明制御部３２とを備える。固定照射部３４は、幅方向ＷＤにおいて延びるようにライン状につまり細長い構成を備える。固定照射部３４では、第１ＬＥＤ２２と第２ＬＥＤ２４とは１本のライン状に交互に配置されている。そして、固定照射部３４では、複数の第１ＬＥＤ２２と複数の第２ＬＥＤ２４とは、第１ＬＥＤ２２の光と、第２ＬＥＤ２４の光とがある程度以上混色するように配置されている。なお、第２照明部１６において、第１ＬＥＤ２２の光と第２ＬＥＤ２４の光とが少なくとも部分的に混色する種々の配列で、第１ＬＥＤ２２及び第２ＬＥＤ２４は配置されることが可能である。好ましくは照射対象を買い物客などがみているときに、照明装置１０からの光にムラや干渉縞などが生じないように第２照明部１６のＬＥＤ１２の配列は定められる。なお、第２照明部１６の第１ＬＥＤ２２は第３光源に相当し、第２照明部１６の第２ＬＥＤ２４は第４光源に相当する。
【００２７】
本実施形態では、第２照明部１６の照明制御部は、前述の照明制御部３２であり、第１照明部１４の照明制御部に統合されている。したがって、第１照明部１４のＬＥＤ２２、２４と同じように、それとともに、第２照明部１６のＬＥＤ２２、２４は制御されて、所定の光を発する。しかし、第２照明部１６の照明制御部と第１照明部１４の照明制御部とは別々に構成されてもよい。つまり、第１照明部１４の第１及び第２ＬＥＤ２２、２４の制御手段としての第１照明制御部は、第２照明部１６の第１及び第２ＬＥＤ２２、２４の制御手段としての第２照明制御部から独立して構成されてもよい。
【００２８】
上記構成を有する照明装置１０は、図３に示すように、照射対象が内部に配置される展示ケース４０の天井部４２に設置される。天井部４２は、ここでは、照射対象の鉛直方向上側に位置する。このとき、展示ケース４０において、第２照明部１６の固定照射部３４が第１照明部１４の回転照射部１８よりも買い物客側に位置するように、つまり前側４０Ｆに位置するように、照明装置１０の向き又は姿勢は定められる。なお、図３では、展示ケース４０内に、照射対象としての２つの時計Ｗ１、Ｗ２が配置されている。各時計Ｗ１、Ｗ２は、光沢のある時計本体Ｗａと、艶のある革製のバンドＷｂとを有する。
【００２９】
このように用いられる照明装置１０に関して、作用及び効果を以下に説明する。
【００３０】
まず、照明装置１０は、第１照明部１４を有し、第１ＬＥＤ２２と第２ＬＥＤ２４とは光色の異なる光を発することができるように構成されていて、上記所定の配列で配置されている。更に、第１照明部１４は、回転照射部１８のその中心軸線１８Ａ周りの回転により、それらＬＥＤ２２、２４の光が回転照射部１８の中心軸線１８Ａ周りに移動するように作動する。したがって、買い物客が一か所に留まって照射対象である時計Ｗ１、Ｗ２に見入る場合であっても、その照射対象を好適に煌びやかに見せることが可能になる。
【００３１】
また、第１ＬＥＤ２２は白系の光を発し、第２ＬＥＤ２４は黄色系の光を発する。したがって、第１ＬＥＤ２２の光により光沢のある時計本体Ｗａは煌びやかに光り、第２ＬＥＤ２４の光により革製のバンドＷｂを艶のある状態に煌びやかに見せることが可能になる。
【００３２】
更に、照明装置１０では、光が移動するように作動する第１照明部１４に並べて、光が固定であるように作動する第２照明部１６が設けられている。そして、第２照明部１６の固定照射部３４は、第１照明部１４の回転照射部１８よりも前側４０Ｆに、つまり買い物客などにとって手前側に配置されている。したがって、第１照明部１４でＬＥＤ２２、２４が動くことに伴ってそれらから発せられた光にムラ等が生じても、買い物客等の側では、そのムラ等を打ち消すことができる。特に、第２照射部１６の幅は、第１照射部１４の幅よりも長い。また、第２照明部１６のＬＥＤ２２、２４は、第１照明部１４のＬＥＤ２２、２４のそれぞれと同じである。したがって、第１照明部１４の光のムラや干渉縞等を第２照明部１６の光でより好適に消失させることが可能になる。
【００３３】
以上、本発明の代表的な実施形態及び変形例について説明したが、本発明は種々の変更が可能である。本願の特許請求の範囲によって定義される本発明の精神及び範囲から逸脱しない限り、種々の置換、変更が可能である。
【００３４】
例えば、上記実施形態では、第３光源としての第２照明部１６の第１ＬＥＤ２２は第１光源としての第１照明部１４の第１ＬＥＤ２２と同じであったが、異なってもよい。同様に、第４光源としての第２照明部１６の第２ＬＥＤ２４は第２光源としての第１照明部１４の第１ＬＥＤ２４と同じであったが、異なってもよい。上で説明したように、第２照明部１６の２つの光源は、第２照明部１６の上記作用及び効果を生じる種々の光源とすることができる。
【００３５】
また、上記実施形態では、展示ケース４０において第１照明部１４の回転照射部の前側にのみ第２照明部１６の固定照射部が位置づけられた構成を照明装置１０は有したが、第１照明部１４の周囲を囲むように、例えば円環状に第２照明部１６の固定照射部３４が構成されてもよい。また、第２照明部１６では、第１ＬＥＤ２２と第２ＬＥＤ２４とは１つずつ交互に配置されたが、千鳥状の配列、又は２つずつ交互の配列など種々の配列で配置されてもよい。
【００３６】
また、上記実施形態の照明装置１０では、第１照明部１４は機械的に回転照射部１８を動かす構成を有し、よってそこに配置された第１及び第２ＬＥＤ２２、２４のつまりそれらが発する光の周方向移動を実現した。しかし、回転照射部１８自体は固定として、電気的に、ＬＥＤ１２の発光する色を変化させることで、第１及び第２ＬＥＤが発する光の周方向移動を実現してもよい。
【００３７】
図３では、照射対象として時計を例示したが、時計以外のもの、例えば装飾品、貴金属、宝石等を照らすために本発明の照明装置は用いられることが可能である。また、本発明の照明装置は、店舗等での展示ケースに適用されるとよいが、それ以外に適用されてもよい。
【符号の説明】
【００３８】
１０  照明装置
１４  第１照明部
１６  第２照明部
１８  回転照射部
２０  回転機構部
２２  第１ＬＥＤ
２４  第２ＬＥＤ
２６  モータ
２８  電源部
３０  回転コネクタ
３４  固定照射部
【図１】
2020119646.tif 000003
【図２】
2020119646.tif 000004
【図３】
2020119646.tif 000005